(57)【要約】      （修正有）【課題】ポリシャーによる清掃作業、バキューム作業、モップ掛け作業の全ての作業を短時間で行うことのできる障害物のある床面の清掃方法の提供。【解決手段】床面２に、机や棚等の障害物が１列に２個以上間隔を置いて配置されている領域の清掃方法において、１列目の最初の障害物３ａと壁１ａ面間の領域を洗剤液を供給しながらポリシャーにより清掃作業を行う第１の工程と、ポリシャーを最初の障害物３ａと次の障害物３ｂ間の領域の奥まで清掃作業を行わず移動させる第２の工程と、移動した位置から戻りつつ最初の障害物３ａと次の障害物３ｂ間の領域を洗剤液を供給しながらポリシャーにより清掃作業を行う第３の工程とを行わせ、第２あるいは第３工程移行時にバキューム作業を第１の工程から追随させて行わせ、更に、バキューム作業がポリシャーの第２あるいは第３工程と同じ作業工程移行時にモップ掛け作業を第１の工程から追随して行うようにした清掃方法。【選択図】図１
2006026298.tif 000002
【特許請求の範囲】
【請求項１】
床面に、机や棚等の障害物が少なくとも1列に2個以上間隔を置いて配置されている複数列の清掃領域を、洗剤液を供給しながらポリシャーにより清掃し、その後、汚れを含んだ洗剤液を吸い取るバキューム作業、床面を拭き取るモップ掛け作業を行うようにした障害物のある床面の清掃方法において、
１列目の最初の障害物と壁面間の領域を洗剤液を供給しながらポリシャーにより清掃作業を行う第１の工程と、ポリシャーを最初の障害物と次の障害物間の領域の奥まで清掃作業を行わず移動させる第２の工程と、移動した位置から戻りつつ最初の障害物と次の障害物間の領域を洗剤液を供給しながらポリシャーにより清掃作業を行う第3の工程と、前記次の障害物間と壁面間の領域を洗剤液を供給しながらポリシャーにより清掃作業を行う第４の工程とを必要に応じ繰り返し行って1列目のポリシャーによる清掃を行い、次いで、随時、列毎に前記1列目の作業行程に従ってポリシャーによる清掃を行わせると共に、前記第２或いは第3工程移行時に前記バキューム作業を第１の工程から追随させて行わせ、更に、バキューム作業がポリシャーの第2或いは第3工程と同じ作業工程移行時に前記モップ掛け作業を第1の工程から追随して行うようにしたことを特徴とする障害物のある床面の清掃方法。
【発明の詳細な説明】
【技術分野】
【０００１】
本発明は、障害物が置かれた床面を清掃する障害物のある床面の清掃方法に関する。
【背景技術】
【０００２】
従来、平面かつ矩形状の床面に、机や棚等の障害物が少なくとも1列に2個以上間隔を置いて配置されている複数列の清掃領域を、洗剤液を供給しながらポリシャーにより清掃し、その後、汚れを含んだ洗剤液を吸い取るバキューム作業、床面を拭き取るモップ掛け作業を行う清掃方法においては、まず、床全体を障害物を避けつつ洗剤液を供給しながらポリシャーにより清掃し、このポリシャーによる清掃作業後、汚れを含んだ洗剤液を吸い取るバキューム作業を床全体に行い、その後、モップ掛け作業を行うという方法が行われていた。（特許文献１参照）。
【特許文献１】特開２００２−１６５７３６号公報
【発明の開示】
【発明が解決しようとする課題】
【０００３】
前述した従来の清掃方法では、ポリシャーによる清掃作業の後にバキューム作業、このバキューム作業後にモップ掛け作業と全てが個々の作業終了後に行われていたため、これらの清掃作業が終了するまでに多大の時間がかかるという問題があった。
【０００４】
本発明は、上述した従来技術における実情からなされたもので、その目的は、ポリシャーによる洗浄作業、バキューム作業、モップ掛け作業の全ての作業を短時間で行うことのできる障害物のある床面の清掃方法を提供することにある。
【課題を解決するための手段】
【０００５】
前記目的を達成するために、本発明では、床面に、机や棚等の障害物が少なくとも1列に2個以上間隔を置いて配置されている複数列の清掃領域を、洗剤液を供給しながらポリシャーにより清掃し、その後、汚れを含んだ洗剤液を吸い取るバキューム作業、床面を拭き取るモップ掛け作業を行うようにした障害物のある床面の清掃方法において、１列目の最初の障害物と壁面間の領域を洗剤液を供給しながらポリシャーにより清掃作業を行う第１の工程と、ポリシャーを最初の障害物と次の障害物間の領域の奥まで清掃作業を行わず移動させる第２の工程と、移動した位置から戻りつつ最初の障害物と次の障害物間の領域を洗剤液を供給しながらポリシャーにより清掃作業を行う第3の工程と、前記次の障害物間と壁面間の領域を洗剤液を供給しながらポリシャーにより清掃作業を行う第４の工程とを必要に応じ繰り返し行って1列目のポリシャーによる清掃を行い、次いで、随時、列毎に前記1列目の作業行程に従ってポリシャーによる清掃を行わせると共に、前記第２或いは第3工程移行時に前記バキューム作業を第１の工程から追随させて行わせ、更に、バキューム作業がポリシャーの第2或いは第３工程と同じ作業工程移行時に前記モップ掛け作業を第1の工程から追随して行うようにしている。
【発明の効果】
【０００６】
本発明によれば、ポリシャーによる清掃作業が1列目の最初の障害物と次の障害物間の領域に移行時、バキューム作業を追随して行わせ、次に、バキューム作業が1列目の最初の障害物と次の障害物間の領域に移行時、モップ掛け作業を追随して行うようにしたため、この3つの作業を連続して行うことができ、短時間で全ての作業を終了できるという顕著な効果を達成することができる。
【発明を実施するための最良の形態】
【０００７】
以下、本発明に係る障害物のある床面の清掃方法の実施形態を図に基づいて説明する。
【０００８】
図１は本発明の一実施形態になる障害物のある床面の清掃方法を示す平面図である。図において、１は清掃対象となる床１を備えた建物で、１ａ〜１ｄは建物１を構成する壁である。３ａ，３ｂ、４ａ，４ｂは列毎に床１に配置された机や棚等の障害物、５は建物１への出入口、６はポリシャー（図示せず）移動する経路、７はバキューム（図示せず）が移動する経路、８はモップが移動する経路を示している。
【０００９】
まず最初に、ポリシャーをスターと地点のＳに移動し、その後、第1の工程として、１列目の最初の障害物３ａと壁面１ａ間の領域を洗剤液を供給しながらポリシャーにより清掃作業を行う（矢印６ａ）。次に、第２の工程として、ポリシャーを最初の障害物３ａと次の障害物３ｂ間の領域の奥まで清掃作業を行わず移動させ（矢印６ｂ）、第3の工程として、移動した位置から戻りつつ最初の障害物３ａと次の障害物３ｂ間の領域を洗剤液を供給しながらポリシャーにより清掃作業を行う（矢印６ｃ）。ポリシャーによる清掃作業の第４の工程として、前記次の障害物３ｂ間と壁面１ａ間の領域を洗剤液を供給しながらポリシャーにより清掃作業を行う（矢印６ｄ）。次いで、障害物３ｂと壁１ｂ間の領域を洗剤液を供給しながらポリシャーにより清掃作業を行い（矢印６ｅ）1列目の清掃作業を終了する。
【００１０】
次に、ポリシャーを実線の矢印では洗剤液を供給しながら、点線矢印では清掃作業を行わず矢印６ｆ〜６ｍと移動させる。汚れた洗浄後の水を吸引させるバキューム作業は、前記ポリシャーの第２或いは第3工程移行時にＳ地点の第１の工程から追随して行う（矢印７）。更に、バキューム作業がポリシャーの第2或いは第3工程と同じ作業工程まで移行した時、モップ掛け作業をＳ地点の第1の工程から追随して行う（矢印８）。
【００１１】
本実施形態によれば、ポリシャーによる清掃作業の第２或いは第３工程時にバキューム作業、このバキューム作業が第2或いは第3工程と同じ作業工程まで移行した時、モップ掛け作業を追随して行うようにしたため、連続して3つの作業を行うことができ、短時間の内にこれらの作業を終了することができる。
【００１２】
なお、この例では、1列に2つの障害物のある例を示したが、複数ある場合も同様に行うことができる。
【図面の簡単な説明】
【００１３】
【図１】本発明の一実施形態になる清掃方法を示す平面図である。
【符号の説明】
【００１４】
２          床面
２ａ〜２ｄ  壁
３ａ，３ｂ  障害物
４ａ，４ｂ  障害物
６ａ〜６ｍ  ポリシャーの作業経路
７          バキュームの作業経路
８          モップの作業経路
【図１】
2006026298.tif 000003